【手続補正書】
【提出日】平成20年2月4日(2008.2.4)
【手続補正１】
【補正対象書類名】明細書
【補正対象項目名】特許請求の範囲
【補正方法】変更
【補正の内容】
【特許請求の範囲】
【請求項１】  データの品質を向上させるための複数種類の向上情報を生成する向上情報生成手段と、
前記データと、１種類以上の前記向上情報とを送信する送信手段と
を備えることを特徴とするデータ処理装置。
【請求項２】  前記複数種類の向上情報の中から、前記データとともに送信するものを選択する向上情報選択手段をさらに備える
ことを特徴とする請求項１に記載のデータ処理装置。
【請求項３】  前記向上情報選択手段は、前記データを受信する受信装置からの要求に応じて、前記向上情報を選択する
ことを特徴とする請求項２に記載のデータ処理装置。
【請求項４】  前記向上情報選択手段が選択する前記向上情報に応じて、課金処理を行う課金手段をさらに備える
ことを特徴とする請求項３に記載のデータ処理装置。
【請求項５】  前記向上情報生成手段は、少なくとも、前記データの品質を向上させた品質向上データの予測値を予測するのに用いる予測係数を、前記向上情報として生成する
ことを特徴とする請求項１に記載のデータ処理装置。
【請求項６】  前記向上情報生成手段は、前記予測係数を、所定のクラスごとに生成する
ことを特徴とする請求項５に記載のデータ処理装置。
【請求項７】  前記向上情報生成手段は、
教師となる教師データのうちの注目している注目教師データのクラスを求めるのに用いるクラスタップを、生徒となる生徒データを用いて構成するクラスタップ構成手段と、
前記クラスタップに基づいて、前記注目教師データのクラスを求めるクラス分類を行うクラス分類手段と、
前記注目教師データを予測するのに、前記予測係数とともに用いる予測タップを、前記生徒データを用いて構成する予測タップ構成手段と、
前記教師データおよび予測タップを用いて、前記クラスごとの前記予測係数を求める予測係数演算手段と
を有する
ことを特徴とする請求項６に記載のデータ処理装置。
【請求項８】  前記向上情報生成手段は、異なるクラス数についての前記予測係数を、前記複数種類の向上情報として生成する
ことを特徴とする請求項７に記載のデータ処理装置。
【請求項９】  前記向上情報生成手段は、異なる品質の前記生徒データまたは教師データを用いることにより求められる複数種類の予測係数を、前記複数種類の向上情報として生成する
ことを特徴とする請求項７に記載のデータ処理装置。
【請求項１０】  前記向上情報生成手段は、少なくとも、前記予測係数と、線形補間を行うための情報とを、前記複数種類の向上情報として生成する
ことを特徴とする請求項７に記載のデータ処理装置。
【請求項１１】  前記向上情報生成手段は、異なる構成の前記クラスタップまたは予測タップを用いることにより求められる複数種類の予測係数を、前記複数種類の向上情報として生成する
ことを特徴とする請求項７に記載のデータ処理装置。
【請求項１２】  前記向上情報生成手段は、前記クラス分類を、異なる方法で行うことにより求められる複数種類の予測係数を、前記複数種類の向上情報として生成する
ことを特徴とする請求項７に記載のデータ処理装置。
【請求項１３】  前記送信手段は、前記データが有するエネルギの偏りを利用して、前記データおよび向上情報を元に戻すことができるように、前記データに、前記向上情報を埋め込んで、前記データおよび１種類以上の向上情報を送信する
ことを特徴とする請求項１に記載のデータ処理装置。
【請求項１４】  前記送信手段は、スペクトラム拡散を行うことにより、前記データに、前記向上情報を埋め込んで、前記データおよび１種類以上の向上情報を送信する
ことを特徴とする請求項１に記載のデータ処理装置。
【請求項１５】  前記送信手段は、前記データの１ビット以上を、前記向上情報に変更することにより、前記データに、前記向上情報を埋め込んで、前記データおよび１種類以上の向上情報を送信する
ことを特徴とする請求項１に記載のデータ処理装置。
【請求項１６】  前記送信手段は、前記データと、前記複数種類の向上情報のすべてを送信する
ことを特徴とする請求項１に記載のデータ処理装置。
【請求項１７】  前記データは、画像データであり、
前記向上情報は、前記画像データの画質を向上させる情報である
ことを特徴とする請求項１に記載のデータ処理装置。
【請求項１８】  データの品質を向上させるための複数種類の向上情報を生成する向上情報生成ステップと、
前記データと、１種類以上の前記向上情報とを送信する送信ステップと
を備えることを特徴とするデータ処理方法。
【請求項１９】  コンピュータに実行させるプログラムが記録されている記録媒体であって、
データの品質を向上させるための複数種類の向上情報を生成する向上情報生成ステップと、
前記データと、１種類以上の前記向上情報とを送信する送信ステップと
を備えるプログラムが記録されている
ことを特徴とする記録媒体。
【請求項２０】  コンピュータに実行させるプログラムであって、
データの品質を向上させるための複数種類の向上情報を生成する向上情報生成ステップと、
前記データと、１種類以上の前記向上情報とを送信する送信ステップと
を備えることを特徴とするプログラム。
【請求項２１】  データと、そのデータの品質を向上させるための１種類以上の向上情報とを受信して処理するデータ処理装置であって、
前記データおよび１種類以上の向上情報を受信する受信手段と、
前記データの品質を、前記１種類以上の向上情報のうちのいずれかを用いて向上させる向上手段と、
前記データの品質を向上させるのに用いた前記向上情報に応じて、課金処理を行う課金手段と
を備えることを特徴とするデータ処理装置。
【請求項２２】  前記受信手段は、複数種類の向上情報を受信し、
前記複数種類の向上情報の中から、前記データの品質を向上させるのに用いるものを選択する向上情報選択手段をさらに備える
ことを特徴とする請求項２１に記載のデータ処理装置。
【請求項２３】  前記向上情報選択手段は、ユーザからの要求に応じて、前記向上情報を選択する
ことを特徴とする請求項２２に記載のデータ処理装置。
【請求項２４】  前記データの品質を向上させるのに用いる前記向上情報を、前記データおよび１種類以上の向上情報を送信する送信装置に要求する要求手段をさらに備え、
前記受信手段は、前記送信装置が、要求手段の要求に応じて送信してくる前記向上情報を受信する
ことを特徴とする請求項２１に記載のデータ処理装置。
【請求項２５】  前記向上情報は、前記データの品質を向上させた品質向上データの予測値を予測するのに用いる予測係数であり、
前記向上手段は、前記データおよび予測係数を用いることにより、前記品質向上データの予測値を求める
ことを特徴とする請求項２１に記載のデータ処理装置。
【請求項２６】  前記向上情報は、所定のクラスごとに求められた前記予測係数であり、
前記向上手段は、前記データおよびクラスごとの予測係数を用いることにより、前記品質向上データの予測値を求める
ことを特徴とする請求項２５に記載のデータ処理装置。
【請求項２７】  前記向上手段は、
注目している前記品質向上データである注目品質向上データのクラスを求めるのに用いるクラスタップを、前記データを用いて構成するクラスタップ構成手段と、
前記クラスタップに基づいて、前記注目品質向上データのクラスを求めるクラス分類を行うクラス分類手段と、
前記注目品質向上データを予測するのに、前記予測係数とともに用いる予測タップを、前記データを用いて構成する予測タップ構成手段と、
前記注目品質向上データの予測値を、その注目品質向上データのクラスの前記予測係数と、前記予測タップとを用いて求める予測手段と
を有する
ことを特徴とする請求項２６に記載のデータ処理装置。
【請求項２８】  前記受信手段は、複数種類の前記向上情報を受信する
ことを特徴とする請求項２７に記載のデータ処理装置。
【請求項２９】  前記受信手段は、異なるクラス数についての前記予測係数を、前記複数種類の向上情報として受信する
ことを特徴とする請求項２８に記載のデータ処理装置。
【請求項３０】  前記予測係数は、生徒となる生徒データと、教師となる教師データとを用いて生成されるものであり、
前記受信手段は、異なる品質の前記生徒データまたは教師データを用いることにより求められる複数種類の予測係数を、前記複数種類の向上情報として受信する
ことを特徴とする請求項２８に記載のデータ処理装置。
【請求項３１】  前記受信手段は、少なくとも、前記予測係数と、線形補間を行うための情報とを、前記複数種類の向上情報として受信する
ことを特徴とする請求項２８に記載のデータ処理装置。
【請求項３２】  前記受信手段は、異なる構成の前記クラスタップまたは予測タップを用いることにより求められる複数種類の予測係数を、前記複数種類の向上情報として受信する
ことを特徴とする請求項２８に記載のデータ処理装置。
【請求項３３】  前記受信手段は、前記クラス分類を、異なる方法で行うことにより求められる複数種類の予測係数を、前記複数種類の向上情報として受信する
ことを特徴とする請求項２８に記載のデータ処理装置。
【請求項３４】  前記受信手段は、前記データに、前記１種類以上の向上情報が埋め込まれた埋め込みデータを受信し、
前記埋め込みデータから、前記向上情報を抽出する抽出手段をさらに備える
ことを特徴とする請求項２１に記載のデータ処理装置。
【請求項３５】  前記抽出手段は、前記データが有するエネルギの偏りを利用して、前記埋め込みデータから、前記向上情報を抽出する
ことを特徴とする請求項３４に記載のデータ処理装置。
【請求項３６】  前記抽出手段は、逆スペクトラム拡散を行うことにより、前記埋め込みデータから、前記向上情報を抽出する
ことを特徴とする請求項３４に記載のデータ処理装置。
【請求項３７】  前記抽出手段は、前記埋め込みデータの１ビット以上を、前記向上情報として抽出する
ことを特徴とする請求項３４に記載のデータ処理装置。
【請求項３８】  前記データは、画像データであり、
前記向上情報は、前記画像データの画質を向上させる情報である
ことを特徴とする請求項２１に記載のデータ処理装置。
【請求項３９】  データと、そのデータの品質を向上させるための１種類以上の向上情報とを受信して処理するデータ処理方法であって、
前記データおよび１種類以上の向上情報を受信する受信ステップと、
前記データの品質を、前記１種類以上の向上情報のうちのいずれかを用いて向上させる向上ステップと、
前記データの品質を向上させるのに用いた前記向上情報に応じて、課金処理を行う課金ステップと
を備えることを特徴とするデータ処理方法。
【請求項４０】  データと、そのデータの品質を向上させるための１種類以上の向上情報とを受信して処理するのに、コンピュータに実行させるプログラムが記録されている記録媒体であって、
前記データおよび１種類以上の向上情報を受信する受信ステップと、
前記データの品質を、前記１種類以上の向上情報のうちのいずれかを用いて向上させる向上ステップと、
前記データの品質を向上させるのに用いた前記向上情報に応じて、課金処理を行う課金ステップと
を備えるプログラムが記録されている
ことを特徴とする記録媒体。
【請求項４１】  データと、そのデータの品質を向上させるための１種類以上の向上情報とを受信して処理するのに、コンピュータに実行させるプログラムであって、
前記データおよび１種類以上の向上情報を受信する受信ステップと、
前記データの品質を、前記１種類以上の向上情報のうちのいずれかを用いて向上させる向上ステップと、
前記データの品質を向上させるのに用いた前記向上情報に応じて、課金処理を行う課金ステップと
を備えることを特徴とするプログラム。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】変更
【補正の内容】
【００４５】
【課題を解決するための手段】
本発明の第１のデータ処理装置は、データの品質を向上させるための複数種類の向上情報を生成する向上情報生成手段と、データと、１種類以上の向上情報とを送信する送信手段とを備えることを特徴とする。
【手続補正４３】
【補正対象書類名】明細書
【補正対象項目名】００４６
【補正方法】変更
【補正の内容】
【００４６】
本発明の第１のデータ処理装置には、複数種類の向上情報の中から、データとともに送信するものを選択する向上情報選択手段をさらに設けることができる。
【手続補正４４】
【補正対象書類名】明細書
【補正対象項目名】００４８
【補正方法】変更
【補正の内容】
【００４８】
本発明の第１のデータ処理装置には、向上情報選択手段が選択する向上情報に応じて、課金処理を行う課金手段をさらに設けることができる。
【手続補正４５】
【補正対象書類名】明細書
【補正対象項目名】００６２
【補正方法】変更
【補正の内容】
【００６２】
本発明の第１のデータ処理方法は、データの品質を向上させるための複数種類の向上情報を生成する向上情報生成ステップと、データと、１種類以上の向上情報とを送信する送信ステップとを備えることを特徴とする。
【手続補正４６】
【補正対象書類名】明細書
【補正対象項目名】００６３
【補正方法】変更
【補正の内容】
【００６３】
本発明の第１の記録媒体は、データの品質を向上させるための複数種類の向上情報を生成する向上情報生成ステップと、データと、１種類以上の向上情報とを送信する送信ステップとを備えるプログラムが記録されていることを特徴とする。
【手続補正４７】
【補正対象書類名】明細書
【補正対象項目名】００６４
【補正方法】変更
【補正の内容】
【００６４】
本発明の第１のプログラムは、データの品質を向上させるための複数種類の向上情報を生成する向上情報生成ステップと、データと、１種類以上の向上情報とを送信する送信ステップとを備えることを特徴とする。
【手続補正４８】
【補正対象書類名】明細書
【補正対象項目名】００６５
【補正方法】変更
【補正の内容】
【００６５】
本発明の第２のデータ処理装置は、データおよび１種類以上の向上情報を受信する受信手段と、データの品質を、１種類以上の向上情報のうちのいずれかを用いて向上させる向上手段と、データの品質を向上させるのに用いた向上情報に応じて、課金処理を行う課金手段とを備えることを特徴とする。
【手続補正４９】
【補正対象書類名】明細書
【補正対象項目名】００６８
【補正方法】変更
【補正の内容】
【００６８】
本発明の第２のデータ処理装置には、データの品質を向上させるのに用いる向上情報を、データおよび１種類以上の向上情報を送信する送信装置に要求する要求手段をさらに設けることができ、この場合、受信手段には、送信装置が、要求手段の要求に応じて送信してくる向上情報を受信させることができる。
【手続補正５０】
【補正対象書類名】明細書
【補正対象項目名】００８３
【補正方法】変更
【補正の内容】
【００８３】
本発明の第２のデータ処理方法は、データおよび１種類以上の向上情報を受信する受信ステップと、データの品質を、１種類以上の向上情報のうちのいずれかを用いて向上させる向上ステップと、データの品質を向上させるのに用いた向上情報に応じて、課金処理を行う課金ステップとを備えることを特徴とする。
【手続補正５１】
【補正対象書類名】明細書
【補正対象項目名】００８４
【補正方法】変更
【補正の内容】
【００８４】
本発明の第２の記録媒体は、データおよび１種類以上の向上情報を受信する受信ステップと、データの品質を、１種類以上の向上情報のうちのいずれかを用いて向上させる向上ステップと、データの品質を向上させるのに用いた向上情報に応じて、課金処理を行う課金ステップとを備えるプログラムが記録されていることを特徴とする。
【手続補正５２】
【補正対象書類名】明細書
【補正対象項目名】００８５
【補正方法】変更
【補正の内容】
【００８５】
本発明の第２のプログラムは、データおよび１種類以上の向上情報を受信する受信ステップと、データの品質を、１種類以上の向上情報のうちのいずれかを用いて向上させる向上ステップと、データの品質を向上させるのに用いた向上情報に応じて、課金処理を行う課金ステップとを備えることを特徴とする。
【手続補正５３】
【補正対象書類名】明細書
【補正対象項目名】００８６
【補正方法】削除
【補正の内容】
【手続補正５４】
【補正対象書類名】明細書
【補正対象項目名】００８７
【補正方法】削除
【補正の内容】
【手続補正５５】
【補正対象書類名】明細書
【補正対象項目名】００８８
【補正方法】変更
【補正の内容】
【００８８】
本発明の第１のデータ処理装置およびデータ処理方法、並びに記録媒体およびプログラムにおいては、データの品質を向上させるための複数種類の向上情報が生成され、データと、１種類以上の向上情報とが送信される。
【手続補正５６】
【補正対象書類名】明細書
【補正対象項目名】００８９
【補正方法】変更
【補正の内容】
【００８９】
本発明の第２のデータ処理装置およびデータ処理方法、並びに記録媒体およびプログラムにおいては、データおよび１種類以上の向上情報が受信され、データの品質が、１種類以上の向上情報のうちのいずれかを用いて向上される一方、そのデータの品質を向上させるのに用いた向上情報に応じて、課金処理が行われる。
【手続補正５７】
【補正対象書類名】明細書
【補正対象項目名】０３８４
【補正方法】削除
【補正の内容】
【手続補正５８】
【補正対象書類名】明細書
【補正対象項目名】０３８５
【補正方法】削除
【補正の内容】
【手続補正５９】
【補正対象書類名】明細書
【補正対象項目名】０３８６
【補正方法】変更
【補正の内容】
【０３８６】
【発明の効果】
本発明の第１のデータ処理装置およびデータ処理方法、並びに記録媒体およびプログラムによれば、データの品質を向上させるための複数種類の向上情報が生成され、データと、１種類以上の向上情報とが送信される。従って、複数の品質のデータの提供が可能となる。
【手続補正６０】
【補正対象書類名】明細書
【補正対象項目名】０３８７
【補正方法】変更
【補正の内容】
【０３８７】
本発明の第２のデータ処理装置およびデータ処理方法、並びに記録媒体およびプログラムによれば、データおよび１種類以上の向上情報が受信され、データの品質が、１種類以上の向上情報のうちのいずれかを用いて向上される一方、そのデータの品質を向上させるのに用いた向上情報に応じて、課金処理が行われる。従って、支払額に応じた品質のデータの提供を受けることが可能となる。